(57)【特許請求の範囲】
【請求項１】
医薬品や食品などの造粒、コーティング、乾燥、または混合処理を行うための粉粒体処理装置であって、
横型ドラム状回転容器と、該横型ドラム状回転容器を回転する中空回転軸と、該中空回転軸を回転駆動する駆動装置と、前記横型ドラム状回転容器と前記中空回転軸との間に介設され、前記横型ドラム状回転容器に通気可能に設けられた通気ダクトに連通する連通孔を形成して該通気ダクトの給排気を選択的に分配するディスクバルブからなる分配器とよりなり、
前記中空回転軸と前記駆動装置を一体的にユニット化した駆動ユニットとなし、
前記横型ドラム状回転容器は、横型ドラム状回転容器本体と，該横型ドラム状回転容器本体に通気可能に設けられた通気ダクトとからなり、
前記分配器は、前記通気ダクトの連通孔を有して前記横型ドラム状回転容器本体に一体的に固設された第１回転ディスクバルブと、前記第１回転ディスクバルブの連通孔に合致する連通孔を有して前記中空回転軸に一体的に設けられた第２回転ディスクバルブとからなり、
前記駆動ユニットは、前記第２回転ディスクバルブに摺接する摺接面を有する固定ディスクバルブと、該第２回転ディスクバルブの連通孔に合致する連通孔と、前記中空回転軸を回転支持する軸受部からなる固定ディスクバルブ付軸受部材とから構成されてなり、
前記横型ドラム状回転容器と前記駆動ユニットは前記分配器の前記第１，第２回転ディスクバルブを介して互いに結合離脱するように着脱可能に形成されてなり、
前記横型ドラム状回転容器と前記駆動ユニットとを結合するに際して、前記横型ドラム状回転容器には前記第１回転ディスクバルブが固着されており、前記駆動ユニットの前記中空回転軸には前記第２回転ディスクバルブが取着手段によって予め取着固定されている
ことを特徴とする粉粒体処理装置。
【請求項２】
医薬品や食品などの造粒、コーティング、乾燥、または混合処理を行うための粉粒体処理装置であって、
横型ドラム状回転容器をハウジングに収納してなる横型ドラム状回転容器側ハウジングユニットと、該横型ドラム状回転容器を回転させる中空回転軸および該中空回転軸を回転駆動する駆動装置をハウジングに収納してなる駆動装置側ハウジングユニットと、前記横型ドラム状回転容器と前記中空回転軸との間に介在され、前記横型ドラム状回転容器に通気可能に設けられた通気ダクトに連通する連通孔を設けて該通気ダクトの給排気を選択的に分配せしめるディスクバルブからなる分配器とよりなり、
前記横型ドラム状回転容器側ハウジングユニットと前記駆動装置側ハウジングユニットとをそれぞれユニット化し、
前記横型ドラム状回転容器側ハウジングユニットは、前記横型ドラム状回転容器本体を回転可能に支持してなる横型ドラム状回転容器側ハウジングから構成され、
前記分配器は、前記通気ダクトの連通孔を有して前記横型ドラム状回転容器本体に一体的に固設された第１回転ディスクバルブと、前記第１回転ディスクバルブの連通孔に合致する連通孔を有して前記中空回転軸に一体的に設けられた第２回転ディスクバルブとからなり、
前記駆動装置側ハウジングユニットは、前記第２回転ディスクバルブに摺接する摺接面を有する固定ディスクバルブと、該第２回転ディスクバルブの連通孔に合致する連通孔と、前記中空回転軸を回転支持する軸受部とからなる固定ディスクバルブ付軸受部材と、前記固定ディスクバルブ付軸受部材および前記中空回転軸を回転駆動する駆動装置とを有する駆動装置側ハウジングから構成され、
前記横型ドラム状回転容器側ハウジングユニットと前記駆動装置側ハウジングユニットは前記分配器の前記第１，第２回転ディスクバルブを介して互いに結合離脱するように着脱可能に形成され、
前記横型ドラム状回転容器側ハウジングユニットと前記駆動装置側ハウジングユニットとを結合するに際して、前記横型ドラム状回転容器側ハウジングユニットには前記第１回転ディスクバルブが固着されており、前記駆動装置側ハウジングユニットの前記中空回転軸には前記第２回転ディスクバルブが取着手段によって予め取着固定されている
ことを特徴とする粉粒体処理装置。
【発明の詳細な説明】
【０００１】
【発明の属する技術分野】
本発明は、医薬品や食品などの造粒、コーティング、乾燥、混合などの処理を行うための粉粒体処理装置に関し、特に、異なる仕様の横型ドラム状回転容器を互換使用可能なドラム式造粒コーティング装置に関する。
【０００２】
【従来の技術】
従来、この種のドラム式造粒コーティング装置としては、例えば特公昭５０−３８７１３号公報に示されるように、回転ドラムすなわち回転容器の回転部と非回転部との境界部にディスクバルブ機構を設け、このディスクバルブ機構を構成する回転ディスクと非回転ディスクに互いに所定の位置で選択的に連通する通気孔を形成し、その通気孔の選択的連通によりガスの給排路を切り換える構造のものが使用されている。
【０００３】
しかしながら、従来の造粒コーティング装置においては、ディスクバルブ機構が回転容器の後面側、即ち操作側とは反対側に配設されているので、装置の操作者がディスクバルブ機構の点検や着脱を行ったり、洗浄およびその確認を行うことが困難であるという問題がある。また、従来のディスクバルブ機構は、回転容器の軸線方向については位置が固定されているので、その汚れの確認やその洗浄および確認、点検などが不便ないし困難であるという問題もある。
【０００４】
そこで、本願出願人は特開平２−５６２３４号公報に開示されたようなコーティング装置を提案した。このコーティング装置は、粉粒体を収容する回転容器へのガスの給排路を切り換えるディスクバルブ機構を該回転容器の操作側に配設したものであり、ディスクバルブ機構は、回転容器とともに回転する回転ディスクと、該回転ディスクに摺接され、回転ドラムの操作側に引き出し可能な非回転ディスクを有する構造とすることができる、という構造のものである。
【０００５】
このコーティング装置によれば、ディスクバルブ機構が操作側に設けられているので、操作者がディスクバルブ機構の汚れの点検や洗浄およびその確認などを容易に行うことができる。また、ディスクバルブ機構の非回転ディスクが沿う側に引き出し可能であることにより、ディスクバルブ機構の汚れの点検や洗浄などがさらに容易となる上に、回転容器の内部の点検や洗浄などもディスクバルブ機構で妨げられることなく容易に行うことができる。
【０００６】
また、この種のドラム式造粒コーティング装置には、図７に示すような特開平８−５７２８９号公報に開示されたドラム式造粒コーティング装置もある。即ち、このドラム式造粒コーティング装置は横型ドラム状回転容器３とモータ１７など駆動装置を一括収納した筐体２によって囲繞された構成をなしている。この筐体２の内部には、回転容器３が略水平方向の回転軸線を中心に回転自在に組み込まれている。この回転容器３は、円筒形状の筒体部４と、この筒体部４の軸方向両端に一体となった截頭円錐形状の端板部５ａ，５ｂとを有し、一方の端板部５ａには中空の開口部６ａが設けられ、他方の端板部５ｂには駆動軸部６ｂが設けられている。開口部６ａ側は、端板部５ａに固定された円筒部７ａを支持するベアリングローラ７ｂにより回転自在に支持されており、このベアリングローラ７ｂは筐体２に固定されている。駆動軸部６ｂは筐体２に取り付けられた軸受８により回転自在に支持されている。
【０００７】
筐体２には開口部６ａに連通する円筒部材１０が取り付けられており、この円筒部材１０は、コーティング室９内に乾燥用気体を供給するための給気ダクトが連結されている。コーティング室９内に粉粒体Ｐを投入し得るようにするために、円筒部材１０を開閉する開閉蓋１２が円筒部材１０に開閉自在に設けられている。
【０００８】
回転容器３の外側にはこの回転軸線に沿う方向に複数の通気ダクト１３が設けられており、それぞれの通気ダクト１３の図７における右端部は連通部となっている。なお、図示する場合には筒体部４および端板部５ｂの外側にこれに対して隙間を隔てて板材を取り付けるとともに、これらの隙間の間に放射方向の区画板を設けることによって、８つの連通ダクト１３が形成されている。
【０００９】
駆動軸部６ｂの外側に位置させて分配器１４が設けられており、この分配器１４の通気機構は、下端部と上端部とに連通孔１５ａ，１５ｂがそれぞれ形成された固定円板（固定ディスクバルブ）１４ａと、回転容器３に取り付けられ、それぞれの通気ダクト１３に対応した数の連通孔１５ｃが形成された回転円板（回転ディスクバルブ）１４ｂとを有している。回転円板１４ｂは固定円板１４ａに対して摺動して接触するようになっている。  固定円板１４ａにはこれの連通孔１５ａに連通させて排気ダクト１６が取り付けられている。この排気ダクト１６には図示しないファンが接続されており、回転容器３の回転に伴って下側にまで移動した通気ダクト１３内の空気がファンの作動により連通孔１５ｃ，1 ５ａを通って外部に排出される。これにより給気ダクト１１から導入された乾燥用気体は、図において実線の矢印で示すように流れて、粉粒体Ｐの集積層を貫流する。回転容器３を回転駆動するために、筐体２内にはモータ１７が設けられている。
【００１０】
筐体２にはさらに給気ダクト１１ａが設けられており、この給気ダクト１１ａの開口部は固定円板１４ａの連通孔１５ｂに取り付けられている。
【００１１】
【発明が解決しようとする課題】
ところで、例示したこれらのドラム式造粒コーティング装置は、共通してディスクバルブ機構を利用した分配器と称するロータリーエアーディスク方式を採用している点、および、共に回転容器を回転駆動する駆動装置を配設使用している点において共通点が見い出される。しかしながら、何れのドラム式造粒コーティング装置もその回転容器の容量の違いやその分配器に設けられるディスクバルブの外形寸法の相違などによってその仕様に適した型式毎のドラム式造粒コーティング装置が製作されていた。
【００１２】
また、前記特開平２−５６２３４号公報のコーティング装置は、ディスクバルブ機構の汚れの点検や洗浄およびその確認などを容易に行える反面、ディスクバルブ機構を操作側に設けるという特殊な設計が施され、その分どうしてもコスト増が余儀なくされ、また、操作面積や設置面積を比較的大きく必要とするものであった。
【００１３】
さらに、前記特開平８−５７２８９号公報に開示されたドラム式造粒コーティング装置の筐体は、区画壁によって回転容器収納側とモータなど駆動機構収納側とに仕切られて区画されていて、洗浄ノズルにより回転ドラム内を洗浄するように構成されているが、分配器など細部に至る洗浄が要求される。
【００１４】
そこで、本発明は、これらドラム式造粒コーティング装置が共通してディスクバルブ機構を利用した分配器と称するロータリーエアーディスク方式を採用している点、共に回転容器を回転駆動する駆動装置を配設使用している点、および前記課題の解消に着目してなされたもので、その１つの目的は、装置を回転容器側と駆動装置側とにユニット化して互いに着脱可能に分離し、横型ドラム状回転容器を互換使用可能として装置に汎用性を持たせ、さらなるコスト低減化など経済効果をもたらす粉粒体処理装置を提供することにある。
【００１５】
本発明の他の１つの目的は、装置の洗浄、点検、メンテナンスを容易且つ確実にすることができる粉粒体処理装置を提供することにある。
【００１６】
【課題を解決するための手段】
本発明の粉粒体処理装置は、医薬品や食品などの造粒、コーティング、乾燥、または混合処理を行うための粉粒体処理装置であって、横型ドラム状回転容器と、該横型ドラム状回転容器を回転する中空回転軸と、該中空回転軸を回転駆動する駆動装置と、前記横型ドラム状回転容器と前記中空回転軸との間に介設され、前記横型ドラム状回転容器に通気可能に設けられた通気ダクトに連通する連通孔を形成して該通気ダクトの給排気を選択的に分配するディスクバルブからなる分配器とよりなり、前記中空回転軸と前記駆動装置を一体的にユニット化した駆動ユニットとなし、前記横型ドラム状回転容器は、横型ドラム状回転容器本体と，該横型ドラム状回転容器本体に通気可能に設けられた通気ダクトとからなり、前記分配器は、前記通気ダクトの連通孔を有して前記横型ドラム状回転容器本体に一体的に固設された第１回転ディスクバルブと、前記第１回転ディスクバルブの連通孔に合致する連通孔を有して前記中空回転軸に一体的に設けられた第２回転ディスクバルブとからなり、前記駆動ユニットは、前記第２回転ディスクバルブに摺接する摺接面を有する固定ディスクバルブと、該第２回転ディスクバルブの連通孔に合致する連通孔と、前記中空回転軸を回転支持する軸受部からなる固定ディスクバルブ付軸受部材とから構成されてなり、前記横型ドラム状回転容器と前記駆動ユニットは前記分配器の前記第１，第２回転ディスクバルブを介して互いに結合離脱するように着脱可能に形成されてなり、前記横型ドラム状回転容器と前記駆動ユニットとを結合するに際して、前記横型ドラム状回転容器には前記第１回転ディスクバルブが固着されており、前記駆動ユニットの前記中空回転軸には前記第２回転ディスクバルブが取着手段によって予め取着固定されているものである。
【００１８】
さらに、本発明の他の粉粒体処理装置は、医薬品や食品などの造粒、コーティング、乾燥、または混合処理を行うための粉粒体処理装置であって、横型ドラム状回転容器をハウジングに収納してなる横型ドラム状回転容器側ハウジングユニットと、該横型ドラム状回転容器を回転させる中空回転軸および該中空回転軸を回転駆動する駆動装置をハウジングに収納してなる駆動装置側ハウジングユニットと、前記横型ドラム状回転容器と前記中空回転軸との間に介在され、前記横型ドラム状回転容器に通気可能に設けられた通気ダクトに連通する連通孔を設けて該通気ダクトの給排気を選択的に分配せしめるディスクバルブからなる分配器とよりなり、前記横型ドラム状回転容器側ハウジングユニットと前記駆動装置側ハウジングユニットとをそれぞれユニット化し、前記横型ドラム状回転容器側ハウジングユニットは、前記横型ドラム状回転容器本体を回転可能に支持してなる横型ドラム状回転容器側ハウジングから構成され、前記分配器は、前記通気ダクトの連通孔を有して前記横型ドラム状回転容器本体に一体的に固設された第１回転ディスクバルブと、前記第１回転ディスクバルブの連通孔に合致する連通孔を有して前記中空回転軸に一体的に設けられた第２回転ディスクバルブとからなり、前記駆動装置側ハウジングユニットは、前記第２回転ディスクバルブに摺接する摺接面を有する固定ディスクバルブと、該第２回転ディスクバルブの連通孔に合致する連通孔と、前記中空回転軸を回転支持する軸受部とからなる固定ディスクバルブ付軸受部材と、前記固定ディスクバルブ付軸受部材および前記中空回転軸を回転駆動する駆動装置とを有する駆動装置側ハウジングから構成され、前記横型ドラム状回転容器側ハウジングユニットと前記駆動装置側ハウジングユニットは前記分配器の前記第１，第２回転ディスクバルブを介して互いに結合離脱するように着脱可能に形成され、前記横型ドラム状回転容器側ハウジングユニットと前記駆動装置側ハウジングユニットとを結合するに際して、前記横型ドラム状回転容器側ハウジングユニットには前記第１回転ディスクバルブが固着されており、前記駆動装置側ハウジングユニットの前記中空回転軸には前記第２回転ディスクバルブが取着手段によって予め取着固定されているものである。
【００２０】
さらに、本発明の他の粉粒体処理装置においては、前記横型ドラム状回転容器側ハウジングユニットは、そのハウジング部材に、前記駆動装置側ハウジングユニットに向かって前後移動可能且つ上下調整可能な移動部材を設けるとともに、前記横型ドラム状回転容器本体とハウジング部材との間に案内部材を設け、前記駆動装置側ハウジングユニットは、前記横型ドラム状回転容器側ハウジングユニットの案内部材が係合案内可能なガイド部を形成し、前記移動部材および前記案内部材によって前記横型ドラム状回転容器本体の軸心と前記中空回転軸の軸心とが互いに合致するように心出し可能にしてなるものである。
【００２１】
【発明の実施の形態】
（実施の形態１）
図１（ａ）は横型ドラム状回転容器を示す概略的縦断面図、（ｂ）は駆動ユニットを示す概略的縦断面図、図２は横型ドラム状回転容器と駆動ユニットを結合合体して組み立てられたドラム式造粒コーティング装置を示す部分断面組立図である。
【００２２】
図１中、１Ａは横型ドラム状回転容器を示し、１Ｂは駆動ユニットを示し、これら横型ドラム状回転容器部１Ａおよび駆動ユニット１Ｂは分配器１Ｃを介して互いに分離可能に一体的に結合して、粉粒体処理装置の一例としてのドラム式造粒コーティング装置を形成するように構成されている。
【００２３】
まず、このドラム式造粒コーティング装置を構成する横型ドラム状回転容器１Ａについて説明すると、この横型ドラム状回転容器１Ａは、横型ドラム状回転容器本体２０を備え、該横型ドラム状回転容器本体２０は後述するように水平方向の軸心Ｃの回転軸線の回りで垂直方向に回転可能である。
【００２４】
なお、横型ドラム状回転容器本体２０内には、錠剤などの被コーティング物としての粉粒体Ｐが収容されるコーティング室２０’が形成されており、図に示すように、コーティング室２０’の底部には粉粒体Ｐの集積層が形成される。横型ドラム状回転容器１Ａの筒体部２０ａには、その外側に設けられる後述の通気ダクト３３とコーティング室２０’とを連通させる多数の図示しない通気細孔が形成されており、それぞれの通気細孔は乾燥用の気体、通常は空気を通過させるためのものであり、その口径は粉粒体Ｐの粒径よりも小径となっている。
【００２５】
この横型ドラム状回転容器本体２０の前記通気細孔を設けた位置の外側には、その回転軸線に沿う方向の筒体部２０ａと端板部２０ｂ’に沿って複数の通気ダクト３３が設けられており、それぞれの通気ダクト３３の図１（ａ）における右端部は連通部３３ａをなしている。なお、この連通ダクト３３は、図示していないが、これら筒体部２０ａおよび端板部２０ｂ’の外側にこれに対して隙間を隔てて板材を取り付けるとともに、これらの隙間の間に放射方向の区画板を設けることによって、本例では８つの通気ダクト３３が形成されている。
【００２６】
横型ドラム状回転容器本体２０の嵌合部２０ｄには、その外縁部にディスクバルブ機構を利用したロータリーエアーディスク方式の分配器１Ｃを構成する第１回転ディスクバルブ３４が固着されている。
【００２７】
この第１回転ディスクバルブ３４は円板形状をなしており、その板面には連通部３３ａに対応した個数の連通孔３３ｂと位置決め孔３３ｃが少なくとも２個所に穿設されている。
【００２８】
一方、横型ドラム状回転容器本体２０の端板部２０ｂの外側には、軸受部２８を介して製品排出部２９が固定され、この製品排出部２９の端面には、開閉蓋２９ａが開閉自在に設けられ、この開閉蓋２９ａを開けて粉粒体Ｐをコーティング室２０’の中に投入できるようになっている。
【００２９】
次いで、駆動ユニット１Ｂについて説明すると、駆動ユニット１Ｂは、前記横型ドラム状回転容器１Ａを水平方向の回転軸線の回りに回転させる中空回転軸２５と、その中空回転軸２５を回転可能に支持する固定ディスクバルブ付軸受部材４８と、その中空回転軸２５を回転駆動する駆動装置３５とから構成されている。
【００３０】
中空回転軸２５は中空状の筒体より成り、その一端に分配器１Ｃを構成する第２回転ディスクバルブ５０を取着ボルト６６で着脱自在に取着固定し、その他端に駆動装置３５を構成するスプロケットあるいはプーリ５２が固設され、その他端の終端部に閉塞蓋５３が被着されている。
【００３１】
駆動装置３５は、モータ５４と、そのモータ５４の出力軸に設けられたスプロケットあるいはプーリ５５と、そのスプロケットあるいはプーリ５５と中空回転軸２５側のスプロケットあるいはプーリ５２との間に掛け渡されたチェーンあるいはベルト５６とから構成され、さらに中空回転軸２５と、スプロケットあるいはプーリ５５およびチェーンあるいはベルト５６を介して連結され、駆動ユニット１Ｂとしてユニット化されている。
【００３２】
固定ディスクバルブ付軸受部材４８は、第２回転ディスクバルブ５０が気密に摺接する摺接面４８ｅにシーリングリング４９を取着するとともに第２回転ディスクバルブ５０の通気孔５０ａの一つに連通する連通孔４８ｄが穿設された固定ディスクバルブ４８ａと、中空回転軸２５を軸受けする筒状の軸受部４８ｂとが一体形成された形状をなしている。また、その軸受部４８ｂには中空回転軸２５を回転自在に支持する軸受５１が嵌着されている。
【００３３】
第２回転ディスクバルブ５０は、第１回転ディスクバルブ３４に対応した外形寸法の円板形状をなしており、その板面には連通孔３３ｂに対応した連通孔５０ａと第１回転ディスクバルブ３４の位置決め孔３３ｃに合致する少なくとも２個の位置決めピン５０ｂが植設されており、その第１回転ディスクバルブ３４の位置決め孔３３ｃがこれら位置決めピン５０ｂに嵌入されて第１回転ディスクバルブ３４との軸心が一致される。
【００３４】
なお、図４の符号５８は固定ディスクバルブ４８ａの連通孔４８ｄに接続される給気あるいは排気ダクトであり、符号５９は横型ドラム状回転容器１Ａのコーティング室２０’に挿入されたインナーダクト６０に接続される給気あるいは排気ダクトであり、符号６７は横型ドラム状回転容器１Ａのコーティング室２０’に挿入されたバッフル手段６４を回動自在に接続した回動軸である。これら給気あるいは排気ダクト５９と回動軸６５は中空回転軸２５内に押通されている。
【００３５】
分配器１Ｃは、横型ドラム状回転容器１Ａの横型ドラム状回転容器本体２０に設けた第１回転ディスクバルブ３４と、駆動ユニット１Ｂの中空回転軸２５に設けた第２回転ディスクバルブ５０と、軸受部４８ｂに設けた固定ディスクバルブ４８ａとから構成されている。
【００３６】
そして、分配器１Ｃは、第２回転ディスクバルブ５０に、駆動ユニット１Ｂの第１回転ディスクバルブ３４を取着固定して、これら横型ドラム状回転容器１Ａと駆動ユニット１Ｂを結合して一体的なドラム式造粒コーティング装置を形成する。
【００３７】
さて、この実施例における結合操作に際して、横型ドラム状回転容器１Ａには第１回転ディスクバルブ３４が固着されており、駆動ユニット１Ｂの中空回転軸２５には第２回転ディスクバルブ５０が取着ボルト６６によって予め取着固定されている。
【００３８】
そして、これら横型ドラム状回転容器１Ａと駆動ユニット１Ｂを、図２に示すように、一つのドラム式造粒コーティング装置として一体的に結合するに際し、まず、床面Ｇ上に設置された駆動ユニット１Ｂとは別体な横型ドラム状回転容器１Ａを図示しないクレーンあるいはウインチなどの荷役手段で駆動ユニット１Ｂに向かって前後上下移動する。次に、その荷役手段によって駆動ユニット１Ｂに向き合った横型ドラム状回転容器１Ａを上下調整して第１回転ディスクバルブ３４の軸心Ｃと第２回転ディスクバルブ５０の軸心Ｃ’を略合致させる。
【００３９】
そして第２回転ディスクバルブ５０の位置決めピン５０ｂに第１回転ディスクバルブ３４の位置決め孔３３ｃを嵌入し、位置決定し、第１回転ディスクバルブ３４の前面より押通された取着ボルト６６で第１回転ディスクバルブ３４と第２回転ディスクバルブ５０を締め付け固定し、横型ドラム状回転容器１Ａと駆動ユニット１Ｂを一体的なドラム式造粒コーティング装置として合体させる。
【００４０】
従って、横型ドラム状回転容器１Ａの通気ダクト３３は駆動ユニット１Ｂ側の給気あるいは排気ダクト５８に連通し、且つ横型ドラム状回転容器１Ａは第１，第２回転ディスクバルブ３４，５０の一体的結合により、モータ５４から与えられる中空回転軸２５の回転動力が伝達されて回転する。
【００４１】
本実施の形態において、粉粒体の処理の一例として、造粒、コーティングを行う場合、前記の要領で横型ドラム回転容器１Ａを分配器１Ｃを介して駆動ユニット１Ｂと結合させた状態とし、開閉蓋２９ａを開けて横型ドラム状回転容器本体２０のコーティング室２０’の中に被造粒コーティング物である粉粒体Ｐを投入する。
【００４２】
そして、モータ５４でチェーンあるいはベルト５６を介して中空回転軸２５を回転させることにより、横型ドラム状回転容器１Ａを回転させる一方、たとえば給気あるいは排気ダクト５８，５９を経て、たとえば加熱空気をコーティング室２０’に供給する。この加熱空気は、コーティング室２０’から横型ドラム状回転容器本体２０の壁面の通気細孔を通過し、通気ダクト３３を経て給気あるいは排気ダクト５８，５９から排出される。なお、給気あるいは排気ダクト５８，５９はそれぞれ正逆の使用が可能である。
【００４３】
その際、通気ダクト３３を通る排気は、第１回転ディスクバルブ３４の連通孔３３ｂから、第２回転ディスクバルブ５０の通気孔５０ａ、さらには固定ディスクバルブ４８ａの連通孔４８ｄが前記第１，第２回転ディスクバルブ３４，５０の回転により、互いに連通状態となった時に、これらの連通孔３３ｂ、通気孔５０ａ、連通孔４８ｄを通って通気ダクト３３から給気あるいは排気ダクト５９に排出される。
【００４４】
このような状態で、横型ドラム状回転容器１Ａを回転させながら、図示しないスプレーノズルでコーティング室２０’内にコーティング液あるいはバインダ液、粉末原料などを供給することにより、造粒、コーティングなどの粉粒体処理が行われる。勿論、本実施の形態による粉粒体処理装置は粉粒体の乾燥、混合のためにも使用することができる。
【００４５】
前記のようにして粉粒体Ｐの所要の処理が終了した後、製品は製品排出部２９の開閉蓋２９ａを開けて自動または手作業で装置外に取り出すことができる。
【００４６】
（実施の形態２）
図３（ａ）は本発明の実施の形態２における横型ドラム状回転容器側ハウジングユニットを示す概略的縦断面図、図３（ｂ）は駆動装置側ハウジングユニットを示す概略的縦断面図、図４は横型ドラム状回転容器側ハウジングユニットと駆動装置側ハウジングユニットを結合合体して組み立てられたドラム式造粒コーティング装置を示す概略的縦断面図、図５は図４のＶ−Ｖ線に沿う縦断面図、図６は結合合体された横型ドラム状回転容器側ハウジングユニットと駆動装置側ハウジングユニットの部分拡大図である。
【００４７】
本実施の形態２においては、粉粒体処理装置の横型ドラム状回転容器１Ａや駆動ユニット１Ｂは基本的に実施の形態１と同様であるが、粉粒体処理装置を横型ドラム状回転容器側と駆動装置側とでそれぞれユニット化したものである。
【００４８】
図中、２Ａは横型ドラム状回転容器側ハウジングユニットを示し、２Ｂは駆動装置側ハウジングユニットを示している。これら横型ドラム状回転容器側ハウジングユニット２Ａおよび駆動装置側ハウジングユニット２Ｂは分配器２Ｃを介して互いに一体的に結合してドラム式造粒コーティング装置を形成するように構成されている。
【００４９】
まず、横型ドラム状回転容器側ハウジングユニット２Ａについて説明すると、横型ドラム状回転容器側ハウジングユニット２Ａは、横型ドラム状回転容器１Ａを回転可能に支持し、横型ドラム状回転容器１Ａを囲繞して一括収納するように縦横に配設されたハウジング部材としての押架部材２１，３０，３０’と、その脚部を形成する支柱部材２２，２４とからなる筐体構造の横型ドラム状回転容器側ハウジング２３を用いて組立構築されている。
【００５０】
この横型ドラム状回転容器側ハウジング２３の脚部を形成する支柱部材２４には、駆動装置側ハウジングユニット２Ｂに向かって横型ドラム状回転容器側ハウジング２３を移動する移動部材たる上下調整可能なジャッキ付きの移動車輪２７と、駆動装置側ハウジングユニット２Ｂの中空回転軸２５に対して心出しおよび位置決め調整する案内部材たる案内車輪２６とが装着されている。この案内車輪２６には互いに内方に向かう側の周縁を鍔状に形成し、後述する駆動装置側ハウジングユニット２Ｂのガイド部５７（以下、レール状ガイド部と称す）に係合するようになっている。
【００５１】
支柱部材２４の上部の支柱部材２２は、その内方に軸受部２８を介して回転可能に横型ドラム状回転容器１Ａを片持ちしている。
【００５２】
押架部材２１および上部の支柱部材２２には、カバー３１，３１’が被着され、上部の支柱部材２２下端部の押架部材３０，３０’には、横型ドラム状回転容器１Ａの洗浄液を受けて捕集排出する排出口３２ａを設けた漏斗状の受け皿３２が取着固定されている。
【００５３】
なお、ジャッキ付きの移動車輪２７は、車輪２７ａを回転自在に支持したキャスター本体２７ｂを支柱部材２４に首振り自在に取着固定するべース板２７ｃと、このべース板２７ｃの一端側に上端が固定された長ナット２７ｄと、この長ナット２７ｄを介してベース板２７ｃを上下方向に貫通するように螺合するネジロッド２７ｅと、このネジロッド２７ｅの上端に該ネジロッド２７ｅを回転可能に取り付け固定されたハンドル２７ｆと、このネジロッド２７ｅの下端に取り付けられた着底部材２７ｇとから構成されてなるものである。
【００５４】
このジャッキ付移動車輪２７は、横型ドラム状回転容器側ハウジングユニット２Ａを駆動装置側ハウジングユニット２Ｂに向かって移動せしめ、横型ドラム状回転容器側ハウジングユニット２Ａの案内車輪２６が駆動装置側ハウジングユニット２Ｂのレール状ガイド部５７上を転動され、さらに第１回転ディスクバルブ３４を第２回転ディスクバルブ５０に近接させるべく横型ドラム状回転容器側ハウジングユニット２Ａを移動する。第１回転ディスクバルブ３４を第２回転ディスクバルブ５０の中空回転軸２５の軸心Ｃ’に同軸な軸心に合致させる際に、横型ドラム状回転容器側ハウジングユニット２Ａの底部４個所に取着固定されたこのジヤッキ付移動車輪２７のハンドル１２ｆを回して着底部材２７ｇをキャスター本体２７ｂの車輸２７ａより下方に移動して床面Ｇに着底させ、さらにハンドル１２ｆを回転することで横型ドラム状回転容器側ハウジングユニット２Ａを持ち上げて、横型ドラム状回転容器１Ａの軸心Ｃと中空回転軸２５の軸心Ｃ’とを略合致させることが可能である。
【００５５】
次いで、駆動装置側ハウジングユニット２Ｂについて説明すると、駆動装置側ハウジングユニット２Ｂは、駆動ユニット１Ｂを構成する中空回転軸２５を回転可能に支持し且つ駆動装置３５を固設し、これらを囲繞して一括収納するように図示する縦横に配設されたハウジング部材としての押架部材３６，３７，３８，３９，４０，４１，４２と、支柱部材４３，４４とからなる筐体構造の駆動装置側ハウジング４５を用いて組立構築されている。
【００５６】
この駆動装置側ハウジング４５においては、その押架部材３６と支柱部材４４の内方に四方に配設されたリブ４６と、押架部材３７に固設されたブラケット４７に固定ディスクバルブ付軸受部材４８とが支持され、固定されている。また、駆動装置側ハウジング４５の底部を形成する押架部材３９，４０，４１，４２には、その上部に駆動装置３５が設置されているとともに、その下部に駆動装置側ハウジング４５を上下調整自在に床面Ｇ上に設置するジャッキ付設置台６３が介装されている。また、押架部材３６、３７および支柱部材４３には、カバー６５，６５’が被着されている。
【００５７】
さらにその押架部材４１，４２は、横型ドラム状回転容器側ハウジングユニット２Ａに向かって延設しており、その上部に横型ドラム状回転容器側ハウジングユニット２Ａの案内車輸２６，２６，２６，２６を案内するレール状ガイド部５７が一体形成されている。
【００５８】
そして、一方の横型ドラム状回転容器側ハウジング２３の押架部材２１および脚部をなす支柱部材２４には結合フレーム部材６１が固設され、他方の駆動装置側ハウジング４５の押架部材３６および４１には結合フレーム部材６２が固設されており、これら結合フレーム部材６１，６２をボルト締めすることで合体されたドラム式造粒コーティング装置一式が構成される。
【００５９】
さて、この実施の形態２における結合操作に際して、横型ドラム状回転容器側ハウジングユニット２Ａには第１回転ディスクバルブ３４が固着されており、駆動装置側ハウジングユニット２Ｂの中空回転軸２５には第２回転ディスクバルブ５０が取着ボルト６６によって予め取着固定されている。
【００６０】
また、横型ドラム状回転容器側ハウジングユニット２Ａと駆動装置側ハウジングユニット２Ｂがそれぞれ別体をなし、横型ドラム状回転容器側ハウジングユニット２Ａはジャッキ付移動車輪２７を介して移動自在に床面Ｇ上に設置され、駆動装置側ハウジングユニット２Ｂはジャッキ付設置台６３を介して床面Ｇ上に設置固定されている。
【００６１】
横型ドラム状回転容器側ハウジングユニット２Ａは、駆動装置側ハウジングユニット２Ｂと合体するべく駆動装置側ハウジングユニット２Ｂに向かって移動する。そして向き合った横型ドラム状回転容器側ハウジングユニット２Ａに対して高さ調整するべく駆動装置側ハウジングユニット２Ｂのジャッキ付設置台６３を上下調整する。
【００６２】
このジャッキ付設置台６３の上下調整によって横型ドラム状回転容器側ハウジングユニット２Ａの案内車輪２６の高さと駆動装置側ハウジングユニット２Ｂのレール状ガイド部５７の高さとが略一致したところで、横型ドラム状回転容器側ハウジングユニット２Ａの案内車輪２６をそのレール状ガイド部５７上に乗設する。
【００６３】
そして、そのレール状ガイド部５７上を転動する案内車輪２６を介して横型ドラム状回転容器側ハウジングユニット２Ａを移動し、その第１回転ディスクバル３４を第２回転ディスクバルブ５０に接近せしめて互いの第１，第２回転ディスクバルブ３４，５０の心出しを行うべく、横型ドラム状回転容器側ハウジングユニット２Ａのジャッキ付の移動車輪２７を上下調整する。
【００６４】
第１，第２回転ディスクバルブ３４，５０の心出しが行われたところで、横型ドラム状回転容器側ハウジングユニット２Ａを若干移動して駆動装置側ハウジングユニット２Ｂの第２回転ディスクバルブ５０の位置決めピン５０ｂに第１回転ディスクバルブ３４の位置決め孔３３ｃを嵌入し、第１，第２回転ディスクバルブ３４，５０をボルト締めして一体的に固定する。
【００６５】
さらに、これら横型ドラム状回転容器側ハウジングユニット２Ａと駆動装置側ハウジングユニット２Ｂを一体的に合体すベく、横型ドラム状回転容器側ハウジング２３の結合フレーム部材６１と駆動装置側ハウジング４５の結合フレーム部材６２をボルト締めする。斯くして、横型ドラム状回転容器側ハウジングユニット２Ａと駆動装置側ハウジングユニット２Ｂは単体の独立したドラム式造粒コーティング装置を構成する。
【００６６】
従って、横型ドラム状回転容器側ハウジングユニット２Ａ側の通気ダクト３３は駆動装置側ハウジングユニット２Ｂ側の給気あるいは排気ダクト５８に連通し、横型ドラム状回転容器１Ａは第１，第２回転ディスクバルブ３４，５０の一体的結合により中空回転軸２５の回転動力が伝達されて、モータ５４からの回転駆動力で回転する。
【００６７】
なお、インナーダクト６０とその給気あるいは排気ダクト５９およびバッフル手段６４とその回動軸６５は、横型ドラム状回転容器側ハウジングユニット２Ａを駆動装置側ハウジングユニット２Ｂに移動し合体する前に予め横型ドラム状回転容器１Ａ内に収容しておき、移動合体時に、中空回転軸２５内に挿入し、駆動装置側ハウジングユニット２Ｂにおいてフランジなどの継手手段で接合することでその機能が達成される。
【００６８】
ジャッキ付設置台６３は、駆動装置側ハウジング２Ｂの底部を形成する押架部材３９，４０，４１，４２を支持する支持体６３ａと、頭部を着底して支持体６３ａに挿通された長ボルト６３ｂと、長ボルト６３ｂに螺着された上下調整ナット６３ｃとから構成されていて、駆動装置側ハウジングユニット２Ｂの上下調整時は上下調整ナット６３ｃをレンチで回すことで調整可能とされている。
【００６９】
なお、本発明は前記した実施の形態のみに限定されるものではなく、他の様々な変形が可能である。
【００７０】
【発明の効果】
以上詳細に説明したように、本発明によれば、以下の優れた諸作用効果が得られる。
【００７１】
(1).横型ドラム状回転容器と駆動ユニットをユニット化でき、横型ドラム状回転容器をたとえば仕様や容量などの異なるものとの間で互換使用可能として装置に汎用性を持たせることができ、コストの低減等を図ることもできる。
【００７２】
(2).また、横型ドラム状回転容器と駆動ユニットを分離可能としたので、横型ドラム状回転容器と駆動ユニットの洗浄、点検、メンテナンスを容易且つ確実にし得、ＧＭＰ上のバリデーションを向上させることができる。
【００７３】
(3).本発明によれば、ユニット化された横型ドラム状回転容器と駆動ユニットを容易に着脱可能にでき、粉粒体処理装置を容易に組み立てることができる。
【００７４】
(4).本発明によれば、横型ドラム状回転容器側ハウジングユニットと駆動装置側ハウジングユニットとにそれぞれユニット化したことにより、分配器を介して駆動装置側ハウジングユニットに横型ドラム状回転容器側ハウジングユニットを着脱可能として互換使用可能とし、装置に汎用性を持たせることができる。
【００７５】
(5).また、横型ドラム状回転容器側ハウジングユニットと駆動装置側ハウジングユニットを分離可能としたので、装置の洗浄、メンテナンスを容易且つ確実にし得、ＧＭＰ上のバリデーションを向上させることができる。
【００７６】
(6).さらに、仕様毎に異なる粉粒体処理装置を備えるべく予め工場等に設置収容する必要がないので、スペースを節約できるとともに、設備費用を軽減化できる。
【００７７】
(7).本発明によれば、それぞれユニット化された横型ドラム状回転容器側ハウジングユニットと駆動装置側ハウジングユニット同士を容易に着脱可能にでき、粉粒体処理装置を容易に組み立てることができる。
【００７８】
(8).本発明によれば、横型ドラム状回転容器側ハウジングユニットと駆動装置側ハウジングユニット同士を容易に正確且つ確実に合致させて装着でき、組立時の脱着作業および搬送作業を安全且つ容易に行うことができ、しかも粉粒体処理装置の組立を迅速に行うことができる。
【図面の簡単な説明】
【図１】（ａ）は横型ドラム状回転容器を示す概略的縦断面図、（ｂ）は駆動ユニットを示す概略的縦断面図である。
【図２】横型ドラム状回転容器と駆動ユニットとを合体結合してドラム状コーティング装置とした状態を示す概略的縦断面図である。
【図３】（ａ）は横型ドラム状回転容器側ハウジングユニットを示す概略的縦断面図、（ｂ）は駆動装置側ハウジングユニットを示す概略的縦断面図である。
【図４】横型ドラム状回転容器側ハウジングユニットと駆動装置側ハウジングユニットを合体結合してドラム状コーティング装置とした状態を示す概略的縦断面図である。
【図５】図４のＶ−Ｖ矢視に沿う縦断面図である。
【図６】結合合体された横型ドラム状回転容器側ハウジングユニットと駆動装置側ハウジングユニットの部分拡大図である。
【図７】従来例を示す概略的縦断面図である。
【符号の説明】
１Ａ    横型ドラム状回転容器
１Ｂ    駆動ユニット
１Ｃ    分配器
２Ａ    横型ドラム状回転容器側ハウジングユニット
２Ｂ    駆動装置側ハウジングユニット
２Ｃ    分配器
Ｃ      回転容器の軸心
Ｃ’    中空回転軸の軸心
２０    横型ドラム状回転容器本体
２０’  コーティング室
２３    横型ドラム状回転容器側ハウジング
２４    支柱部材
２５    中空回転軸
２６    案内車輪
２７    移動車輪
２９    製品排出部
３３    通気ダクト
３３ｂ  第１回転ディスクバルブの連通孔
３４    第１回転ディスクバルブ
３５    駆動装置
４５    駆動装置側ハウジング
４８    固定ディスクバルブ付軸受部材
４８ａ  固定ディスクバルブ
４８ｂ  軸受部
４８ｄ  固定ディスクバルブの連通孔
４８ｅ  摺接面
５０    第２回転ディスクバルブ
５０ａ  第２回転ディスクバルブの連通孔
５７    ガイド部（レール状ガイド部）
５８，５９  給排気ダクト
【図１】
0004011171.tif 000002
【図２】
0004011171.tif 000003
【図３】
0004011171.tif 000004
【図４】
0004011171.tif 000005
【図５】
0004011171.tif 000006
【図６】
0004011171.tif 000007
【図７】
0004011171.tif 000008